(57)【要約】      （修正有）【課題】光合成の効率を向上できる、均質の間欠光を照射する栽培植物用の間欠光照射装置を提供する。【解決手段】扇型の照明電球を電球設置用笠にセットし、点灯して、地表面へ扇型の照射面を作り、電球設置用笠をモーターで水平な面で回転させることに由って、扇型の照射面の２等辺の頂点を中心点とする円形の照射面へ間欠光を照射する。フリッカー機能のタイマーを付設して間欠運転し、間欠光を栽培植物へ、周期的に一定時間内で繰り返し照射させると共に、間欠運転の１周期における運転（照射）時間と停止（照射停止）の比率を任意に変更して、一定時間内に照射する光の量を制御するのが好ましい。【選択図】図６
0003202088.tif 000002
【実用新案登録請求の範囲】
【請求項１】
扇型の照明電球を電球設置用笠にセットし、扇型の照明電球を点灯して、地表面へ、扇型の照射面（Ｓ４）を作り、電球設置用笠をモーターで水平な面で回転させることに由って、扇型の照射面（Ｓ４）の２等辺の頂点を中心点とする円形の照射面（Ｓ５）へ間欠光を照射する仕組みの、間欠光照射装置。
【請求項２】
請求項１に記載されている間欠光照射装置へフリッカー機能のタイマーを付設して、フリッカー機能のタイマーの機能による間欠電力を用いて、間欠光照射装置を間欠運転することに由って、間欠光を栽培植物へ、周期的に一定時間内で繰り返し照射させると共に、間欠運転における１周期における運転（照射）時間と停止（照射停止）の比率を任意に変更して照射することで、一定時間内に照射する光の量を制御する仕組みの間欠光照射装置。
【請求項３】
連続光を光源として、連続光を連続的に栽培植物栽へ照射する機能の連続光の植物栽培用照射装置へ、フリッカー機能のタイマーを付設して、フリッカー機能のタイマーの機能による間欠電力を用いて、連続光の植物栽培用照射装置を間欠運転することに由って、周期的に一定時間内で繰り返し照射させると共に、間欠運転における１周期における運転（照射）時間と停止（照射停止）の比率を任意に変更して照射することで、一定時間内に照射する光の量を制御する仕組みの連続光の植物栽培用照射装置。
【考案の詳細な説明】
【技術分野】
【０００１】  本考案は、植物栽培用ハウス（以下、ハウスと言う）において使用する、光合成用の光りを照射する照明装置に関するものである。
【背景技術】
【０００２】  光合成用の光に関しては、植物へ連続した光よりも、光を細切れにして（明、暗の周期をもつ光、以下間欠光と言う）として照射して与えた方が光合成の効率が良いことが知られている。
本出願人は、上記の原理をハウス栽培の実際において応用するための設備として、ＬＥＤ電球の光の指向性良いことに着目して、連続した光を間欠光と成して、植物へ照射する照明装置として、先に以下の発明を提案した。
（特願２０１０−０６１４８７号、名称「間欠照明による、植物栽培用の照明装置」、以下、先の発明による照明装置と言う）
先の発明による照明装置は、ＬＥＤ電球の光（人口の光源）を用いて、簡便な装置で、省エネルギーで活用できる照明の方法として提案されたものであって、この方法は、太陽光に等しい強い照度の光りによる光合成量を、ＬＥＤ電球の光（人口の光源）を用いて、低いコスト（小さな電力量）で達成することを可能としたものである。
【考案が解決しようとする課題】
【０００３】  本考案は、先の発明において示された方法の、実施態様として、更に利便性のある具体的な仕組みを提案するものである。
以下、本考案が解決しようとする課題について図１をもって記述する。
図１は先の発明の出願書類において、図７として提出された内容（先の図７において、数字で表示した部分は、図１では数字を変更して表示しているが、変更箇所については、符号の説明の項で変更箇所を付記した）ものである。
図１において、照明ユニット６を制止させた状態で、三個のＬＥＤ電球１ｗを点灯した時の、地表面１１上の有効な照射面はＳ１となり、又、三個のＬＥＤ電球１ｗを点灯した状態で、照明ユニット６を、中心線４中心として水平な面で回転方向５のように１回転させる時の地表面１１上の有効な間欠光の照射面はＳ２となる。
従って上記の、先の発明に例示された方法によって得られる間欠光は、明暗の周期数が照明ユニット６の回転数の２倍（周期数＝２×回転数）となり、明暗の比率は、明：暗＝Ｓ１の面積：（Ｓ２の面積―Ｓ１の面積）となることから、この間欠光を光合成用の光として利用するときには、電球１ｗを直接の連続光の照射で利用するときと比べて極めて効率の良い光となる。
しかし、Ｓ１の中心部においては連続光の部分が残る事。
又、間欠光の質としては、栽培植物の栽培温度や育成時期による状態、補光に利用する場合には、時間帯や天候によっても、異なった質（周期数／秒（時間当たりの周期数であって、以下周期数と言う）、明暗の比率、光の強さ）の間欠光を要求されるケースが発生する。
従って、本考案においては、照明ユニット６を、中心線４中心として水平な面で回転させて間欠光を得る先の発明方法の、実施態様の一つとして、簡便な手法で間欠光の質的変更が可能な間欠光照射装置となす事を課題とした。
【課題を解決するための手段】
【０００４】  続いて、間欠光の質の変更を、簡便に行う機能を付加するための手段について説明する。
手段１として、図１に示した長方形の照射面Ｓ１の形を、扇形（図２に示した扇型の照射面Ｓ４）へ変更して用いること。
図２は、図１に示した、照射面Ｓ１、照射面Ｓ２へ、扇形の照射面Ｓ４（以下、照射面Ｓ４とも言う）を重ねた図面であって、照射面Ｓ２の半径と照射面Ｓ４の一辺の長さＬ２が一致することから、照射面Ｓ２の半径をＬ２で表示したこと、又、照射面Ｓ２の直径の長さをＬ１＝Ｌ２×２＝Ｌ５として、表示した図面である。（照射面Ｓ４の寸法を基準として表示した図面）
以下、図２によって、照射面Ｓ１と照射面Ｓ４との相違点を説明する。
照射面Ｓ４は、円弧の部分が照射面Ｓ２の円弧の一部と重なり、二辺の長さが照射面Ｓ２の半径（Ｌ５／２）であり、二辺の頂点（交点）が円形の照射面Ｓ２の中心点１４に位置させていることから、照射面Ｓ４を、中心点１４を中心として水平面で回転させて光を照射るときには、その光の通った跡（以下、光跡と言う）照射面Ｓ２と一致する。
従って、長方形の照射面Ｓ１の形を照射面Ｓ４に変更しても、間欠光の照射される範囲としては同一の面Ｓ２を得る事ができる。
しかし、照射面Ｓ１で作られた間欠光と照射面Ｓ４で作られた、間欠光の質は異なる、照射面Ｓ１で作られた間欠光は照射面Ｓ２の中心部に近い位置では明暗比率において明の部分が大きくなるが、照射面Ｓ４で作られた間欠光の場合には、照射面Ｓ２の範囲内において明暗の比率が均一となりこの点で精度の高い間欠光となる。
又、照射面Ｓ４は扇形であることから、回転の中心を基準として、等間隔（均等な角度で離して）に放射状に配置した場合においても、中心部が連続光となることが無いことから、照射面Ｓ４を多数用いて、相対的な位置を維持して回転することによって、周期数を変更した場合においても、精度の高い間欠光を栽培植物へ与える事が出来る利点がある。
この時、照射面Ｓ２が受ける間欠光の質は、明暗の周期数＝（回転数／秒（以下、回転数と言う）×照射面Ｓ４の設置数）であり、明暗の比率は、明：暗＝照射面Ｓ４の面積×照射面Ｓ４の設置数：（Ｓ２の面積―照射面Ｓ４の面積×照射面Ｓ４の設置数）である間欠光と同様の性質となる。
図３、図４として、照射面Ｓ４を走査して得る円形の間欠光の照射面Ｓ５（以下、照射面Ｓ５と言う）へ、照射面Ｓ４を２か所設置する方法の場合と３か所設置する方法の場合の例を図示した。
図３の、二か所の照射面Ｓ４を回転させて、間欠光を得る方法の場合には、円形の照射面Ｓ５が受ける間欠光の質は、明暗の周期数＝（回転数×２）であり、明暗の比率は、明：暗＝Ｓ４の面積×２：（Ｓ５の面積―照射面Ｓ４の面積×２）である間欠光と同様の性質となる。（又、明暗の比率は照射面Ｓ４の２辺のはさむ角度βを用いて、算出するときには、明：暗＝（２×β）：（３６０−２×β）となる。
図４の場合は、照射面Ｓ４を３か所用いる方法であることから、この場合の、照射面Ｓ５が受ける間欠光の質は、明暗の周期数＝（回転数×３）であり、明暗の比率は、明：暗＝照射面Ｓ４の面積×３：（照射面Ｓ５の面積―照射面Ｓ４の面積×３）である間欠光と同様の性質となる。
以上、図３、図４に例示したように、扇型の照射面Ｓ４は、これを照射面Ｓ５の円の中心１４を中心として、均等な角度で開いて配置することで複数個もちいる事が可能であり、照射面Ｓ４を利用する数量と、照射面Ｓ４の二辺の角度βを変更して用いる事で、異なる質の間欠光を、照射面Ｓ５へ与える事が出来る仕組みとなる。
【０００５】  手段２として、扇型の照射面Ｓ４を得るためのＬＥＤ電球（以下、扇型照明電球と言う）及び、扇型照明電球をセットして回転させて地表面１１を照射して、間欠光の照射面Ｓ５を得るための装置（以下、本考案による間欠光照射装置）について説明する。
図５は、扇型照明電球を示す斜視図である。
扇型照明電球は、光の照射部が扇型の照射面であり、照射された光が地表面１１へ扇型の照射面Ｓ４を作ることが、家庭用照明として用いられるＬＥＤ電球と異なる。
続いて、扇型照明電球を回転させて用いる、本考案による間欠光照射装置の仕組みについて図６により説明する。
図６において、電球設置用笠は配電用ソケット及び扇型照明電球をセットする棚２２、脱着可能な棚２１、及び棚２１のセット用ナット２０付設した、円形の笠であって、中央部の上部をボス１８とリブ１９に連結された構造である。
又、ボスは回転軸に連結されていて、回転軸はモーター（縦型のフランジモーター）の出力軸と連結されている。
図６は、電球設置用笠に扇型照明電球を水平面に１８０°の間隔で２個、対照的に設置した状況を示している。
この状況で、モーターを運転するときには、電球設置用笠は回転する。
又、扇型照明電球への電源供給は、電源ケーブルより、回転軸の中間に設置したスリップリング機構からソケットを通して、扇型照明電球のプラグへ供給されることから、電球設置用笠の回転に関わらず安定的に電力の供給が可能である。
従って、図６に示した本考案による間欠光照射装置は扇型照明電球を電球設置用笠へセットし、モーターを駆動し、電源ケーブルへ電力を供給することで下部の地表面１１へ間欠光を照射できる構造の装置である。
【考案の効果】
【０００６】  先の発明は、光反応における明反応と暗反応の特性を生かし、小さな光源による照射面Ｓ１を利用して、これを早い回転で移動して用い、広い照射面Ｓ２内の栽培植物が、光を必要とする時間帯へ、人為的に光を供給する方法で、光合成における間欠光の効率を得る仕組みのものである。
この方法は、連続した光や間欠光を広い面Ｓ２の全面へ同時に照射する場合に比べて、光源となる電球、照明装置が小さくなり、照明に必要なエネルギーの消費も小さく、強い光を経済的に使用できる等、有効な方法である。
しかし、間欠光を栽培技術として、更に効果的に使用するためには、適正な間欠光の質が必要である。
図６に示した、本考案による間欠光照射装置による仕組みの場合においては、周期数がモーターの回転数により変更できることの他、以下の特徴がある。
（１）扇型照明電球の仕様を変更して（照射面Ｓ４の角度βを変更すること）用いる事で間欠光の明暗比率が変えられること。
（２）扇型照明電球を複数台、電球設置用笠にセットして用いる事により、間欠光の明暗比率周期数と、周期数を変更することが可能であること。
この特徴は、数種類の扇型照明電球を複数個用意して、電球設置用笠へ必要な種類の扇型照明電球を必要な個数セットすることで、目的とする間欠光の照射が出来る装置である。
効率的な光合成用の間欠光の質は、明反応に必要な光りの強さ（照度）は、自然な太陽光と同様な光の強さが要求されるが、又、周期数においては５０以上（５０Ｈｚの電源を使用した、２ポールのモーターの回転数と同様の周期数）が必要であるが、光の強さは照射面Ｓ４の角βを狭くして照度を大きくすることが可能である。（扇型照明電球の仕様の変更による）
又、周期数については扇型照明電球の設置数で対応できることから、図６に示した、本考案による間欠光照射装置は最適な質的条件を備えた間欠光を、省エネルギーで簡便な操作で栽培技術に応用できる、有効な装置である。
他方、本考案による間欠光照射装置より照射した光は、残像効果を応用できる範囲で利用するときには、ハウスの照明用として利用できる利点もある。
【考案を実施するための最良の形態】
【０００７】  電球設置用笠については、図６に扇型照明電球２個を対照的に設置した例を示したが、使用の実際としては、電球設置用笠内には多数の扇型照明電球の設置が可能な場所を設けた設計とすること。
又、回転軸で電球設置用笠を回転するとき、負荷のアンバランスによる回転軸に掛かる負荷（オーバーハングロード）を小さくするために、未使用の扇型照明電球等の負荷を設置して、バランスを取って回転させること。
又、回転動力としてのモーターについては変速制御を付加すると便利である。【０００８】  他方、植物栽培用に使用する光りの種類は、光合成用の光として、赤色光（波長：６５０〜７５０ｎｍ程度の光）と青色光（波長：６５０ｎｍ程度の光）をバランスよく配合して用いることが肝要であるが、図６に示したスリップリング機構より、電球設置用笠へ付設した複数のソケットには、スリップリング機構を通して、電圧の異なる複数の電力の供給が可能であることから、扇型照明電球の種類を、赤色光、青色光、白色光と多数用意して、植物の種類や生育の状態、照明の明るさ等に応じて調合した配色をして、電球設置用笠へ異なる照明色の扇型照明電球を付設して、本考案による間欠光照射装置を用いることが可能であることから、有効な利用方法となる。
続いて、本考案による間欠光照射装置の、照射光の照射量を制御して利用することの必要性と、照射量の制御の仕組みについて記述する。【０００９】  従来のハウス栽培（太陽光を利用したハウス）においての光合成量は、同一のハウスで内の、栽培植物の種類や栽培環境（外気のＣＯ２濃度、太陽光の強さ等）が同一のであっても、生育の時期と状況によって著しく異なり、同じ日の日中においても、一日のなかの時間帯において、植物の単位時間当たりの光合成量は大きく変わり、一般的に午前中は大きく、午後は小さくなる。
このような、光合成効率の変化の原因は、光合成産物（炭水化物）の引受先（果実や根、花等）の必要量（要求量）等の植物の生理にも起因するが、午後における光合成効率の低下の原因は、客観的には、葉によって作られた光合成産物の量が、適正な流転量を上回り葉内への過剰な滞留したことに由る光合成能力の低下とみられる。
又、光合成産物が葉内へ過剰に蓄積された状態は、葉面積の過大化（過繁茂）状態を招き果実を収穫する目的の植物の栽培においては、品質の低下や減収量と言う悪い結果となる他、葉の付近のＣＯ２濃度が低く、ＣＯ２の供給が遅れる環境での光合成において、強い光を過剰に用い、明反応によって再生された明反応再生物が余剰となる事態のときには、余剰の明反応再生物は酸素と反応して光合成を阻害する要因となり、光り呼吸の原因となって、光合成の効率を低下させ、植物の育成に害となる。
従って、植物栽培用の光りは、太陽光と人工光の如何を問わず、栽培や育成の状況条件に合わせて、植物が必要とする適切な光合成量に応じ、暗反応とバランスした明反応が行えるように光の強さと量を調整して栽培植物へ照射する方法が、光りエネルギーの効率的な利用方法である。
他方、本考案による間欠光照射装置の照射光の強さは、明反応を効率良く充分に行うために、晴天時のハウス内の照度に近い強さの光りを照射する能力を有する必要があり、ハウス内は無風状態であることから、大気の自然換気におけるＣＯ２濃度（３５０〜４００ｐｐｍ程度）を維持しても、気孔からのＣＯ２の取り込
0003202088.tif 000003
が発生する可能性も大きいことから、照射量の制御は光の効率的な利用の他、光呼吸の対策上の栽培技術としても、光の照射量の制御は必要な技術であり、本考案による間欠光照射装置においても、さらに利便性の高い装置となすために、照射量の制御を行う装備を付加することを提案するものである。
続いて、本考案の光の照射量の制御の方法について記述する。【００１０】  栽培植物の光合成産物の必要量と光合成能力は、栽培植物の種類と生育の状態、光を含めた栽培環境によって刻々と変化することから、この微分的な変化に追従して、本考案による間欠光照射装置の照射する間欠光の強さを変化させることは困難であるが、本考案においては、以下の（１）、（２）に記述する事項に着目して、本考案による間欠光照射装置の照射する間欠光を、数分から数十分の長い照射時間帯の間欠的な運転時間で運転を繰り返し行う事で植物に照射して、照射する光の量を積分的に（時間の区間内の積算量の平均値で）制御する方法で解決したものである。
（１）光合成においての、ＣＯ２補償点下の状況と回復の状況、光呼吸の状況と回復の状況、順調な光合成時による状況等の植物の生理現象を客観的に観ると、光合成を行う葉自体に、光合成産物（明・暗夫々の）のストレージタンクやバッファータンクの機能を有して調整して反応が進行していること、又、光合成産物の流転経路においても一部同様の働きが期待できることから、この機能を利用するときには、光の量の制御はある程度の時間的な遅れが許容されること。
（２）栽培植物の種類と生育の状態による、光の強さと、ハウス内温度とＣＯ２濃度による、栽培植物の光合成産物の必要量と光合成能力等のデーターは多く農業関係者に蓄積されていること、又、実際のハウスにおいてのテストによっても、照射する光の最適な制御範囲の情報を得る事ができることから、光の量を積分的に制御に関する、利用度の高いソフトウエアを作ることが出来ること。
続いて以下、本考案による間欠光照射装置の照射光を、間欠的に照射させる仕組みについて説明する。【００１１】  本考案による間欠光照射装置の照射光を、間欠的に照射させる仕組みは、本考案による間欠光照射装置へ、間欠的な電力を供給する仕組みのタイマー（以下、フリッカー機能のタイマーという）を付設して、間欠的な電源を供給して間欠的に運転することで行うものである。
図７は、汎用のフリッカー機能のタイマー２台を使用して、直流と交流の間欠出力を得る仕組みを示している。
図７において、タイマーＤＣは直流電力ＤＣの入力の全時間帯Ｔ１（全運転時間であって、運転開始時刻ｔａ〜運転停止時刻ｔｂ）の範囲内において、間欠運転の時間帯Ｔ２（間欠運転の開始時刻ｔｃ〜間欠運転の停止時刻ｔｄ）の時間帯だけ入力側と同質の電力を間欠に負荷側へ供給する機能があるタイマーであって、又、全時間帯Ｔ１の範囲内であれば、時刻（ｔｃ、ｔｄ）を任意の時刻に設定することが出来る他、間欠な電力として通電時間Ｔ４及び停電時間Ｔ３の設定においても時間、分、秒の単位での設定が可能なフリッカー機能のタイマーである。
タイマーＡＣは、利用する電源が交流電源で利用する以外の機能は、タイマーＤＣと機能は同じものである。（汎用のフリッカー機能のタイマーの出力側の接点容量は充分大きく、直接負荷側へ電力を供給が出来る型式のものが多いことから、以下、負荷へ直結して使用する場合として説明する）
図６に示した、本考案による間欠光照射装置において、タイマーＤＣ及びタイマーＡＣを付設して利用する場合には、扇型照明電球へ必要なＤＣ電力の供給は、外部のコンバータからのＤＣ電力を、タイマーＤＣへ入力して、タイマーＤＣの出力を、電源ケーブルに結線してスリップリング機構へ通電して扇型照明電球を間欠的に点灯・消灯させる、又、モーター（交流モーターの場合）への電力の供給はタイマーＡＣの出力電力を用いて扇型照明電球の間欠運転と同調させて運転を行う仕組みである。
以下、本考案による間欠光照射装置による、午前と午後の運転条件を変更した光りの照射例を示す。（カッコ内はタイマーの操作を示す）
運転条件と操作の例
例１．１日の照射時間を、午前６：００〜午後４：００の１０時間運転とする。
（ｔａ〜ｔｂ間運転、タイマーＤＣ及びタイマーＡＣの供給電源、ＤＣ及びＡＣをＯＮ、ＯＦで制御する）
例２．１日の照射時間帯の内、午後０：００〜午後４：００までの４時間は間欠運転とし、間欠運転の周期は、通電時間Ｔ４を１５分、停電時間Ｔ３を５分として、間欠光の照射時間：照射停止時間＝３：１として、間欠光の平均照射量を２５％減少させて運転する。
（タイマーＤＣ及びタイマーＡＣの時刻を設定を行い、ｔｃを午後０：００にｔｄを午後４：００とし、通電時間Ｔ４を１５分、停電時間Ｔ３を５分に設定する）
上記、例２．の設定後、例１．を行い所定の時間、本考案による間欠光照射装置を運転することで目的を果たせるが、上記の例のように、数十分の１秒以下の短い周期の間欠の照射光を、さらに条件に適応させて、１０時間中４時間だけ間欠運転とするときには、さらに照射光に必要な電力量は全時間運転と比べて、約１０％程度のエネルギーの節約となる計算となる。
トマト、キュウリ、メロンなどの果実を収穫する目的の、日本のハウス栽培においては、栽培植物の１日の光合成量の７０〜８０％程度は午前中に行われて、午後は合成能力が落ち、又午後からの光合成量が多い場合には、光合成物の転流が悪く葉などの過繁茂となり、収量低下の原因となる。
従って、光とＣＯ２を適正に与えている、健康な栽培植物の場合は、午後からの光の投与量は減少させた方が、栽培技術的に適切であり、光りエネルギーの節約にもなる。【００１２】  先に記述した、本考案による間欠光照射装置へフリッカー機能のタイマーを付設して、本考案による間欠光照射装置へ間欠的な電源を供給することに由って、本考案による間欠光照射装置の運転を、１日のうちで照射を必要とする全時間帯において、栽培植物の生理的な状況に合わせて、区分された時間帯に適応した周期的な間欠運転を行い、各々の区間における間欠光の栽培植物への照射量を変化させる仕組みは、植物栽培用の人工光の種類が連続光（以下、栽培用の連続光という）の場合においても省エネルギーの効果が発揮できる仕組みとしての応用が可能である。
図８は、ハウスで栽培される植物の光合成〜光合成による光合成の生産物と、その流転の概念を示したフローを示す図面である。
光合成による生産物〜葉内で糖の製造〜糖の転流による分配までの化学反応は複雑で未知の分野が多いが、しかし植物栽培の実際においての結果から、確かめられた光合成〜糖の転流までのプロセスを概念的な仮想の工場生産として簡略的に纏めると図８に示すフローシートで近似的に表すことが出来るので、図８をもって、ハウス栽培の光合成の概念を説明すると、以下のア〜クとなる。
ア  光合成は葉緑体で行はれるが、その反応は光のエネルギーを必要とする明反応とＣＯ２を必要とする暗反応（カルビン回路と称する二つの反応）により炭水化物を合成する反応である。
イ  明反応は暗反応装置で外気のＣＯ２を吸収して合成された暗反応生産物の一部を原料として供給を受けて、光のエネルギーによって明反応装置で反応させて明反応生産物となして、暗反応装置へ供給する。
ウ  暗反応は明反応装置より供給された明反応生産物と外気より吸収したＣＯ２を原料として、暗反応装置で反応を行い暗反応生産物を製造して、暗反応生産物の一部は明反応装置へ供給し明反応の原料となり、残りの一部は葉緑体内のデンプン製造装置と糖類製造装置、又葉内の糖類製造装置へ原料として供給される。
エ  葉内（一部は葉緑体内）で製造された糖類は、植物の育成の状況に応じて根・茎・花・実などに転流して養分となる。
オ  糖の根・茎・花・実などへの転流は、夜間などにも行われる他、流転の経路における、葉や茎等への蓄積等によってこれがストレージタンク（図８に示す、明反応用貯槽、デンプン用貯槽、糖類用貯槽）のように働き、糖の製造から流転のプロセスを円滑となしている。
カ  しかし、一旦外気のＣＯ２濃度がＣＯ２の補償点近くまで下がって、デンプン用貯槽が下限リミット以下となったときには、影響は大きく光合成の効率の回復は正常となるまでに長い時間（数時間）が掛かるなどの現象が発生する。
キ  又、暗反応と明反応のバランスが崩れて、明反応生産物が過剰となり、明反応用貯槽がオーバーフローするような場合には、光呼吸により光合成を阻害要因となり、植物栽培上の阻害要因となる。
ク  現状のハウスにおける、太陽光とＣＯ２施用によるにおいての光合成による栽培の生産量は、光りとＣＯ２の飽和範囲内においては、光の強さとＣＯ２の濃度の夫々に略比例的に増加するが、その実用的な飽和状態は太陽光で３０，０００ｌｘ、ＣＯ２濃度１，５００ｐｐｍ程度である、しかし、栽培植物の光合成による生産物の要求量は、晴天日の同じ１日に置いても生理的な変化によって、時間帯によって変化してくることから、栽培用の光りとＣＯ２についても必ずしも終日、飽和状態に近い光のつよさとＣＯ２の濃度を維持して栽培を行う必要はなく、栽培植物の生理的要求に合わせて光合成の生産物を支障無くスムースに供給できるように、光とＣＯ２を人工的に制御する（図８に示す、明反応用貯槽、デンプン用貯槽、糖類用貯槽の在庫量を適正値に保つための量的制御をおこなう）ことが、省エネルギーで高品質で効率的な生産を達成する方法となる。
以上で、図８を用いた説明を終えるが、光合成用の光りの投与方法として栽培植物の生理的な変化に伴い、光りの投与対象の全時間帯を、時間の経過毎に区分して、各々の区間に応じた光の投与量を適切に変化させる技術（区間内の時間内で、照射装置を適切にＯＮ・ＯＦさせて周期的に間欠運転を行う事で光の投与量を変化させる）は、積分的な長い時間帯（分、時間単位）も対象となることから、先に記述した栽培用の間欠光を用いる場合に限らず、連続光を連続的に栽培植物栽へ照射する機能の連続光の植物栽培用照射装置の場合においても、又日光を利用する場合においても、ハウス栽培の技術として省エネルギーで高品質で効率的な生産を達成する方法としての活用が可能である。
又、光合成用の光りの投与量を、投与時間帯によって変化させる方法として、光の照射装置の間欠運転で行う場合の間欠の比率と周期については、長時間の停止による、明反応用槽のレベル低下由るロス等の栽培用の支障をなくすためには、数分〜十数分程度の短い周期で（細かく）行う事が効率的である。
尚、ハウス栽培現状においてその多くは、一代雑種（Ｆ１種）の種を用いた農業であって、当面使用するＦ１種の生理状態に最適な栽培に専念することが出来る時代であることから、光合成用の光りの投与についても背栽培植物の生理的な変化に追従する本考案の仕組み（時間帯毎に区分して、光の投与量を適切に変化させる技術）は、一代雑種（Ｆ１種）の種の機能を充分に活かすものである。
【図面の簡単な説明】
【００１３】
【図１】  図１は、先の発明による照明設備の原理図であって、先の発明の図面（図７）として、用いられたものである。（但し、数字、記号を変更した部分については、混同を避けるために、［符号の説明］において、（先の発明の符号―００）として、先の発明で用いた符号・数字を付記した）
【図２】  図２は、照射面Ｓ１を利用した間欠光と扇形の照射面Ｓ４を使った間欠光の違いを現した平面図である。
【図３】  図３は、扇形の照射面Ｓ４二つを使用した、間欠光の照射例を示す、平面図である。
【図４】  図４は、扇形の照射面Ｓ４三つを使用した、間欠光の照射例を示す、平面図である。
【図５】  図５は、扇型照明電球の斜視図である。
【図６】  図６は、扇型照明電球を２か所に配置した、本考案による間欠光照射装置の仕組みを示す、正面図（部分断面図）である。
【図７】  図７は、フリッカー機能のタイマー２台を使用して、直流と交流の間欠出力を得る仕組みを示す図面である。
【図８】  図８は、栽培植物の光合成〜糖の転流までのプロセスを一連の生産ラインとして、概念的にとらえて表現したフローシートである。
【符号の説明】
【００１４】１ｗ．ＬＥＤ電球（線状光線型）
２．回転方向（先の発明においての符号は６３）
３．中心線（先の発明においての符号は６１）
４．中心線（先の発明においての符号は６０）
５．回転方向（先の発明においての符号は６２）
６．照明ユニット（先の発明においての符号は５８）
７．電球配線ユニット（先の発明においての符号は５９）
８．中心線（先の発明においての符号は６４）
９．ＬＥＤ電球１ｗの有効な明るさのある範囲の、最も外側の線（先の発明においての符号は１２ｗ）
１０．ＬＥＤ電球１ｗの有効な明るさのある範囲の、最も外側の線（先の発明においての符号は１３ｗ）
１１．地表面
１２．ＬＥＤ電球１ｗの短い方向の有効な明るさのある範囲の、最も外側の線（先の発明においての符号は１２ｖ）
１３．ＬＥＤ電球１ｗの短い方向の有効な明るさのある範囲の、最も外側の線（先の発明においての符号は１３ｖ）
１４．円の中心点
１５．フレーム（天井部のモーター設置用）
１６．フレーム（軸受け設置用）
１７．フレーム（スリップリング設置用）
１８．ボス（回転軸に付設した）
１９．リブ（電球設置用笠の取り付け用）
２０．ナット（天井部のモーター設置用）
２１．棚（中央部で扇型電球を支える棚板）
２２．棚（内側にリンク状に張り出した、扇型電球を支える棚板）
α．ＬＥＤ電球１ｗの照射角度
β．扇形照明電球による照射面Ｓ４の角度
Ｌ１．照射面Ｓ５の直径
Ｌ２．照射面Ｓ２の半径
Ｌ３．照射面Ｓ１（長方形）の辺（長い方）の幅
Ｌ４．照射面Ｓ１（長方形）の辺（短い方）の幅
Ｌ５．照射面Ｓ２の直径
Ｌ６．照射面Ｓ３の幅
Ｓ１．照射面（照明ユニット６の回転を停止した状態で、電球１ｗを点灯して光を照射した場合に出来る照射面（照射面の形）を示す）
Ｓ２．照射面（照明ユニット６を、中心線４を中心として水平方向に回転させた状態で、電球１ｗを点灯して光を地表面１１へ照射した場合に出来る照射面（間欠光の照射面の形）を示す）
Ｓ３．照射面（照明ユニット６を、中心線３を中心として垂直方向に回転させた状態で、電球１ｗを点灯して光を地表面１１へ照射した場合に出来る照射面（間欠光の照射面の形）を示す）
Ｓ４．扇型の照射面
Ｓ５．照射面（扇形の照射面の２等辺の頂点を中心点１４に重ねて、中心点１４を中心として回転して出来た間欠光の照射面）
ｔａ．運転開始時刻
ｔｂ．運転停止時刻
ｔｃ．間欠運転開始時刻
ｔｄ．間欠運転停止時刻
Ｔ１．全運転時間
Ｔ２．間欠運転の時間
Ｔ３．間欠通電の１周期における、停電時間
Ｔ４．間欠通電の１周期における、通電時間
ＤＣ．直流電力
ＡＣ．交流電力
【図１】
0003202088.tif 000004
【図２】
0003202088.tif 000005
【図３】
0003202088.tif 000006
【図４】
0003202088.tif 000007
【図５】
0003202088.tif 000008
【図６】
0003202088.tif 000009
【図７】
0003202088.tif 000010
【図８】
0003202088.tif 000011